(57)【要約】【課題】  上方から荷重や収容物の自重が作用しても底面の浮高さを確保して優れた緩衝性を発揮できる低コストの包装容器を提供する。【解決手段】  厚さ０．１〜０．５ｍｍのプラスチックシートで成形された包装容器１において、包装容器１の底面２が載置面から浮くように底面に凸部３を下方へ突出するように成形し、凸部３の載置面６との接触面に包装容器１の内側方向へ凹む補強リブ４を底面２の対角方向に沿って成形し、凸部３により浮いた底面２をプラスチックシートの弾性で収容物の緩衝性を高めるとともに、荷重時に凸部３を補強リブ４により潰れ難くした。【選択図】      図２
0003119601.tif 000002
【実用新案登録請求の範囲】
【請求項１】
薄いプラスチックシートで成形された包装容器において、容器の底面が載置面から浮くように底面に凸部を下方へ突出するように成形し、凸部の載置面との接触面に容器の内側方向へ凹む補強リブを成形し、凸部により浮いた底面をプラスチックシートの弾性で収容物の緩衝性を高めるとともに、荷重時に凸部を補強リブにより潰れ難くしたことを特徴とする、包装容器。
【請求項２】
底面の凸部が四隅に成形され、補強リブが底面の対角方向に沿って凹条に成形されたものである、請求項１記載の包装容器。
【請求項３】
底面の浮高さが３〜１２ｍｍの範囲で、底面の長辺長さが８〜１２ｃｍの範囲である、請求項１又は２記載の包装容器。
【請求項４】
容器を構成するプラスチックシートの厚さが０．１〜０．５ｍｍの範囲のものである、請求項１〜３いずれか記載の包装容器。
【請求項５】
容器を構成するプラスチックシートの素材が、ポリスチレン樹脂・ポリエチレンテレフタレート樹脂・ポリプロピレン樹脂から選ばれたものである、請求項１〜４いずれか記載の包装容器。
【考案の詳細な説明】
【技術分野】
【０００１】
本考案は、イチゴやビワなど損傷し易い果物やその他精密な部品等の物品を収容する包装容器に関し、詳しくは物品を損傷なく低コストで保護・収容できるようにする技術に関する。
【背景技術】
【０００２】
従来、損傷し易い物品を収容する包装容器としては、容器を厚物の軟質素材で構成するか、収容物と接する内側に緩衝性を有するシート材等を積層させた構造のものがある（例えば特許文献１参照）。しかしながら、前者の技術は容器の厚さ分収容するスペースが減少して収容効率が悪い問題があった。また、後者の技術はシート材を別途積層する必要があり材料と製造工程が増えてコストが高くつく問題があった。
【０００３】
そこで、薄いプラスチックシートで成形され、容器の底面が載置面から浮くように底面に凸部を下方へ突出するように成形し、凸部により浮いた底面をプラスチックシートの弾性で上下に変位可能にし、その底面の変位で衝撃を緩和して収容物を保護できるようにした包装容器が特許文献２で提案されている。しかし、この技術では凸部が上方からの荷重や収容物の自重により潰れることがあり、この場合底面の浮高さが低くなって底面が載置面と接触して収容物が損傷することがあった。
【特許文献１】実開平６−４４７８９号公報
【特許文献２】特開２００４−３４５７１３号公報
【考案の開示】
【考案が解決しようとする課題】
【０００４】
本考案が解決しようとする課題は、従来のこれらの問題点を解消し、上方からの荷重や収容物の自重が作用しても底面の浮高さを確保して優れた緩衝性を発揮できる低コストの包装容器を提供することにある。
【課題を解決するための手段】
【０００５】
かかる課題を解決した本考案の構成は、
１）  薄いプラスチックシートで成形された包装容器において、容器の底面が載置面から浮くように底面に凸部を下方へ突出するように成形し、凸部の載置面との接触面に容器の内側方向へ凹む補強リブを成形し、凸部により浮いた底面をプラスチックシートの弾性で収容物の緩衝性を高めるとともに、荷重時に凸部を補強リブにより潰れ難くしたことを特徴とする、包装容器
２）  底面の凸部が四隅に成形され、補強リブが底面の対角方向に沿って凹条に成形されたものである、前記１）記載の包装容器
３）  底面の浮高さが３〜１２ｍｍの範囲で、底面の長辺長さが８〜１２ｃｍの範囲である、前記１）又は２）記載の包装容器
４）  容器を構成するプラスチックシートの厚さが０．１〜０．５ｍｍの範囲のものである、前記１）〜３）いずれか記載の包装容器
５）  容器を構成するプラスチックシートの素材が、ポリスチレン樹脂・ポリエチレンテレフタレート樹脂・ポリプロピレン樹脂から選ばれたものである、前記１）〜４）いずれか記載の包装容器
にある。
【考案の効果】
【０００６】
本考案によれば、底面に成形された凸部により、載置すると底面が若干浮いた状態となる。この容器に収容物の自重やその他運搬中の衝撃が作用してもプラスチックシートの弾性で上下に変位し、この変位で衝撃が緩和されて収容物を底付きすることなく保護する。また、浮いた底面下の空間により物品の予冷効果も増加される。さらに、重量を有する収容物や容器の上方から荷重が作用しても凸部は補強リブにより潰れ難くなっており、底面の浮高さを確保して物品の損傷を確実に防止できる。
【考案を実施するための最良の形態】
【０００７】
本考案の底面の凸部は四隅に成形されるのが一般的であるが、容器の大きさによっては四隅を含む他の箇所にも必要に応じて成形する。凸部の形状は円形やＬ形など様々な形状が用いられる。補強リブは底面の対角方向に凹条に成形して限られた面積の範囲で補強面をできるだけ確保できるようにする。
【０００８】
容器を構成するプラスチックシートとしては、厚さが０．１〜０．５ｍｍの範囲で、オリエンティッドポリスチレン（ＯＰＳ：商品名）・ハイインパクトポリスチレン（商品名）・ポリエチレンテレフタレート樹脂・ポリプロピレン樹脂から選ばれたものが一般的に用いられる。底面の浮高さとしては３〜１２ｍｍの範囲で、底面の長辺長さが８〜１２ｃｍの範囲でのものが実用的である。以下、本考案の実施例を図面に基づいて具体的に説明する。
【実施例１】
【０００９】
図１〜３に示す実施例は、イチゴを収容するイチゴパックに本考案を適用した例である。図１は実施例の包装容器の平面図、図２は実施例の包装容器の凸部と補強リブの説明図、図３は図１のＡ−Ａ断面図である。図中、１は包装容器、２は底面、３は凸部、４は補強リブ、５はリブ、６は載置面、Ａはイチゴである。
【００１０】
本実施例の包装容器１は、図１に示すように厚さ０．２５ｍｍのオリエンティッドポリスチレン（ＯＰＳ：延伸ポリスチレン樹脂の一種）からなるプラスチックシートを長辺長さ１１７ｍｍ、短辺長さ７２ｍｍ、深さ４３ｍｍの底面２が形成されるように加圧成形するとともに、その底面２の四隅に深さ５ｍｍのＬ形の凸部３を下方へ突出するように加圧成形し，図２に示すように凸部３に包装容器１の内側方向へ凹む凹条からなる補強リブ４を底面２の対角方向に沿ってそれぞれ成形している。
【００１１】
本実施例の包装容器１はこのように構成したから、図３に示すように載置面６に載置した際、底面２に成形された凸部３により底面２が若干浮いた状態となる。この包装容器１にイチゴＡを収容した際、その自重や運搬中の衝撃が作用してもプラスチックシートの弾性で上下に変位し、この変位で衝撃が緩和されて収容されたイチゴＡを底突きすることなく保護する。
【００１２】
しかも、各凸部３は補強リブ４で補強されるとともに載置面６と複数点接触する形状であるから、強い荷重が作用しても凸部３が潰れ難く、底面２が変位するための浮高さを確保して底付きを確実に防止する。以上説明したように、本実施例によれば従来と比較して低コストで製造が可能で、しかも従来より緩衝性に優れ且つ収容効率も犠牲にしない包装容器１を提供できる。
【産業上の利用可能性】
【００１３】
本考案の包装容器は、イチゴやビワなど損傷し易い果物やその他精密な部品等を収容する用途に有用である。
【図面の簡単な説明】
【００１４】
【図１】実施例の包装容器の平面図である。
【図２】実施例の包装容器の凸部と補強リブの説明図である。
【図３】図１のＡ−Ａ断面図である。
【符号の説明】
【００１５】
１  包装容器
２  底面
３  凸部
４  補強リブ
５  リブ
６  載置面
Ａ  イチゴ
【図１】
0003119601.tif 000003
【図２】
0003119601.tif 000004
【図３】
0003119601.tif 000005